(57)【要約】      （修正有）【課題】フォルダを用いたグループ設定方法と比較して、グループ化された複数のファイルの一覧性の低下を抑制する情報処理装置及びプログラムを提供する。【解決手段】情報処理装置１は、各々ファイルを表す複数の画像を、表示部を制御して表示させる表示制御部１１３と、複数の画像のうち少なくとも２以上の画像を選択する操作を受け付ける受付部１１１と、受付部により操作が受け付けられた場合に、少なくとも２以上の画像が表示部に表示された状態において、少なくとも２以上の画像により各々表される複数のファイルを関連付けてグループを形成するグループ化部１１２と、グループ化部により形成されたグループと対応づけて、少なくとも２以上の画像の画面上の表示位置を示す情報を、記憶部を制御して記憶させる記憶制御部１１４とを備える。【選択図】図５
2016042253.tif 000002
【特許請求の範囲】
【請求項１】
各々ファイルを表す複数の画像を、表示部を制御して表示させる第１の表示制御部と、
前記複数の画像のうち少なくとも２以上の画像を選択する操作を受け付ける受付部と、
前記受付部により前記操作が受け付けられた場合に、前記少なくとも２以上の画像が前記表示部に表示された状態において、前記少なくとも２以上の画像により各々表される複数のファイルを関連付けてグループを形成するグループ化部と、
前記グループ化部により形成されたグループと対応づけて、前記少なくとも２以上の画像の画面上の表示位置を示す情報を、記憶部を制御して記憶させる記憶制御部と
を備える情報処理装置。
【請求項２】
前記少なくとも２以上の画像同士の相対的な位置関係を維持しつつ、前記少なくとも２以上の画像の各々を表示させた状態において、前記少なくとも２以上の画像と、他のファイルを表す画像とを、予め定められた基準に従って並べ替えて表示するよう前記表示部を制御する第２の表示制御部をさらに備えることを特徴とする請求項１に記載の情報処理装置。
【請求項３】
前記複数のファイルのうち、予め定められた条件を満たす２以上のファイル同士が関連性を有することを示す関連性情報を表示するとともに、当該関連性情報と対応づけて前記関連性の種類を示す関連性種類情報を表示するよう前記表示部を制御する第３の表示制御部をさらに備えることを特徴とする請求項１又は２に記載の情報処理装置。
【請求項４】
前記少なくとも２以上の画像を囲む枠線を表示するよう前記表示部を制御する第４の表示制御部をさらに備え、
前記第４の表示制御部は、前記少なくとも２以上の画像のうち一の画像により表されるファイルが、予め定められた数以上のグループに属する場合には、当該一の画像に対応づけて、当該ファイルが複数のグループに属することを示す情報を表示するよう前記表示部を制御する
ことを特徴とする請求項１乃至３のいずれか一項に記載の情報処理装置。
【請求項５】
コンピュータを、
各々ファイルを表す複数の画像を、表示部を制御して表示させる第１の表示制御部と、
前記複数の画像のうち少なくとも２以上の画像を選択する操作を受け付ける受付部と、
前記受付部により前記操作が受け付けられた場合に、前記少なくとも２以上の画像が前記表示部に表示された状態において、前記少なくとも２以上の画像により各々表される複数のファイルを関連付けてグループを形成するグループ化部と、
前記グループと対応づけて、前記少なくとも２以上の画像の画面上の表示位置を示す情報を、記憶部を制御して記憶させる記憶制御部
として機能させるためのプログラム。
【発明の詳細な説明】
【技術分野】
【０００１】
本発明は、情報処理装置及びプログラムに関する。
【背景技術】
【０００２】
従来、複数のファイルを管理するためのシステムが提案されている。例えば、特許文献１では、複数のファイルとこれに関連した必要なテキストファイルを一つのまとまりとして、バージョン情報やその他の管理を行うファイル集合管理装置が提案されている。また、特許文献２では、文書のリンクを格納するワークスペースを有し、異なるフォルダに格納されていても文書同士の結びつきが強いと思われる文書の自動廃棄処理を効率的に行うことを可能とする自動文書廃棄装置が提案されている。
【先行技術文献】
【特許文献】
【０００３】
【特許文献１】特開平９−２２３０５４号公報
【特許文献２】特開２００６−２６８７０２号公報
【発明の概要】
【発明が解決しようとする課題】
【０００４】
本発明は、フォルダを用いたグループ設定方法と比較して、グループ化された複数のファイルの一覧性の低下を抑制することを目的とする。
【課題を解決するための手段】
【０００５】
上記の課題を解決するため、本発明の請求項１に係る情報処理装置は、各々ファイルを表す複数の画像を、表示部を制御して表示させる第１の表示制御部と、前記複数の画像のうち少なくとも２以上の画像を選択する操作を受け付ける受付部と、前記受付部により前記操作が受け付けられた場合に、前記少なくとも２以上の画像が前記表示部に表示された状態において、前記少なくとも２以上の画像により各々表される複数のファイルを関連付けてグループを形成するグループ化部と、前記グループ化部により形成されたグループと対応づけて、前記少なくとも２以上の画像の画面上の表示位置を示す情報を、記憶部を制御して記憶させる記憶制御部とを備える。
【０００６】
本発明の請求項２に係る情報処理装置は、請求項１に記載の構成において、前記少なくとも２以上の画像同士の相対的な位置関係を維持しつつ、前記少なくとも２以上の画像の各々を表示させた状態において、前記少なくとも２以上の画像と、他のファイルを表す画像とを、予め定められた基準に従って並べ替えて表示するよう前記表示部を制御する第２の表示制御部をさらに備えることを特徴とする。
【０００７】
本発明の請求項３に係る情報処理装置は、請求項１又は２に記載の構成において、前記複数のファイルのうち、予め定められた条件を満たす２以上のファイル同士が関連性を有することを示す関連性情報を表示するとともに、当該関連性情報と対応づけて前記関連性の種類を示す関連性種類情報を表示するよう前記表示部を制御する第３の表示制御部をさらに備えることを特徴とする。
【０００８】
本発明の請求項４に係る情報処理装置は、請求項１乃至３のいずれか一項に記載の構成において、前記少なくとも２以上の画像を囲む枠線を表示するよう前記表示部を制御する第４の表示制御部をさらに備え、前記第４の表示制御部は、前記少なくとも２以上の画像のうち一の画像により表されるファイルが、予め定められた数以上のグループに属する場合には、当該一の画像に対応づけて、当該ファイルが複数のグループに属することを示す情報を表示するよう前記表示部を制御することを特徴とする。
【０００９】
本発明の請求項５に係るプログラムは、コンピュータを、各々ファイルを表す複数の画像を、表示部を制御して表示させる第１の表示制御部と、前記複数の画像のうち少なくとも２以上の画像を選択する操作を受け付ける受付部と、前記受付部により前記操作が受け付けられた場合に、前記少なくとも２以上の画像が前記表示部に表示された状態において、前記少なくとも２以上の画像により各々表される複数のファイルを関連付けてグループを形成するグループ化部と、前記グループと対応づけて、前記少なくとも２以上の画像の画面上の表示位置を示す情報を、記憶部を制御して記憶させる記憶制御部として機能させる。
【発明の効果】
【００１０】
請求項１又は５に係る発明によれば、フォルダを用いたグループ設定方法と比較して、グループ化された複数のファイルの一覧性の低下を抑制することができる。
請求項２に係る発明によれば、グループ単位でファイルを表す画像の並べ替えを行うことができる。
請求項３に係る発明によれば、ユーザは、ファイル同士の関連性を知ることができる。
請求項４に係る発明によれば、ユーザは、ファイルが複数のグループに属することを示す情報が表示されない場合と比較して、ファイルの帰属先のグループを判別し易くなる。
【図面の簡単な説明】
【００１１】
【図１】情報処理装置１のハードウェア構成の一例を示すブロック図である。
【図２】フォルダ情報１２１のデータ構成の一例を示す図である。
【図３】グループ情報１２２のデータ構成の一例を示す図である。
【図４】表示部１４により提供されるＧＵＩの一例を示す図である。
【図５】制御部１１により実現される機能の構成の一例を示すブロック図である。
【図６】グループ設定処理の一例を示すフローチャートである。
【図７】表示画面の一例を示す図である。
【図８】表示画面の一例を示す図である。
【図９】表示画面の一例を示す図である。
【図１０】表示画面の一例を示す図である。
【図１１】表示画面の一例を示す図である。
【図１２】表示画面の一例を示す図である。
【図１３】表示画面の一例を示す図である。
【図１４】表示画面の一例を示す図である。
【図１５】表示画面の一例を示す図である。
【発明を実施するための形態】
【００１２】
以下、本発明の実施の形態について図面を参照しつつ説明する。
１．実施形態
図１は、情報処理装置１のハードウェア構成の一例を示すブロック図である。情報処理装置１は、例えばパーソナルコンピュータである。より具体的には、スマートフォンやタブレット端末等の携帯端末や、据え置き型のコンピュータである。
【００１３】
情報処理装置１は、図１に示されるように、制御部１１と、記憶部１２と、操作部１３と、表示部１４と、通信部１５とを備える。
制御部１１は、例えば、ＣＰＵ（Central Processing Unit）と、ＲＯＭ（Read Only Memory）と、ＲＡＭ（Random Access Memory）とを備える。ＣＰＵは、ＲＯＭ又は記憶部１２からＲＡＭ上にプログラムをロードして実行する。
【００１４】
記憶部１２は、例えばフラッシュメモリやＨＤＤ（Hard Disk Drive）等の記憶装置である。記憶部１２は、メモリカードのように情報処理装置１から着脱可能な記憶装置であってもよい。この記憶部１２は、後述するファイル管理アプリケーションや、各種ファイルを記憶する。ここで、ファイルとは、例えば、文書ファイルや、画像ファイルや、音声ファイルや、動画ファイル等である。
【００１５】
記憶部１２はまた、ファイルを整理、管理するためのフォルダに関連する情報であるフォルダ情報１２１を記憶する。図２は、フォルダ情報１２１のデータ構成の一例を示す図である。同図に示されるように、フォルダ情報１２１は、フォルダＩＤと、ファイルＩＤと、座標情報とにより構成される。
【００１６】
フォルダＩＤは、フォルダの識別情報である。ファイルＩＤは、フォルダに格納されるファイルの識別情報である。座標情報は、フォルダに対応するワークスペースが表示部１４に表示される際に、ファイルのアイコンがワークスペース上において表示される位置（相対的又は絶対的位置）を示す情報である。ここで、アイコンは、本発明に係る「画像」の一例である。
【００１７】
記憶部１２はまた、フォルダ内においてグループ化されたファイルを管理するためのグループ情報１２２を記憶する。なお、ここで、「グループ化」とは、グループを形成することをいう。「グループを形成する」とは、何らかの情報を介して直接的又は間接的にオブジェクト（例えば、ファイル）を関連付けることをいう。
図３は、グループ情報１２２のデータ構成の一例を示す図である。同図に示されるように、グループ情報１２２は、グループＩＤと、ファイルＩＤと、順序情報と、関連ファイル情報と、関連性種類情報とにより構成される。
【００１８】
グループＩＤは、グループの識別情報である。ファイルＩＤは、グループに属するファイルの識別情報である。順序情報は、グループ内の各ファイルの順序を示す情報である。関連ファイル情報は、当該ファイルと関連性を有する他のファイルを識別する情報である。関連性種類情報は、関連性の種類を示す情報である。順序情報と関連ファイル情報と関連性種類情報については、後述するファイル同士の関連性表示機能に関連して詳述する。
グループ情報１２２は、当該グループに属するファイルが格納されるフォルダと対応づけて記憶される。具体的には、当該フォルダ内に、隠しファイルとして格納される。
【００１９】
操作部１３は、例えばタッチセンサ、キーボード、マウス等の装置である。操作部１３は、ユーザによる各種の操作を受け付ける。
表示部１４は、例えば液晶ディスプレイ等の表示装置である。この表示部１４は、情報処理装置１と一体として構成されていなくともよい。表示部１４は、上述のファイル管理アプリケーションがＣＰＵにより実行されることにより、ＧＵＩ（Graphical User Interface）を提供する。
【００２０】
図４は、表示部１４により提供されるＧＵＩの一例を示す図である。同図に示されるＧＵＩでは、画面上に、メニューバーＢ１と、フォルダ部Ｂ２と、ワークスペース部Ｂ３とを有するウィンドウＷが表示される。フォルダ部Ｂ２には、ファイル管理アプリケーションにより管理されるファイル群を格納するフォルダのツリーが表示される。ワークスペース部Ｂ３には、フォルダ部Ｂ２においてユーザにより選択されたフォルダに格納されているファイルを表す画像が表示される。ファイルを表す画像としては例えばアイコンが表示される。アイコンとしては例えばサムネイル画像が表示される。ここで、サムネイル画像とは、ファイルにより表されるコンテンツの縮小画像である。ワークスペース部Ｂ３に表示される各アイコンは、フォルダ情報１２１に含まれる座標情報に基づいてその表示位置が決定される。
【００２１】
通信部１５は、例えばデータ通信カード等の通信インタフェースである。通信部１５は、通信回線を介して外部装置との間でデータ通信を行う。
【００２２】
次に、図５は、制御部１１により実現される機能の構成の一例を示すブロック図である。制御部１１は、記憶部１２に記憶されるプログラムを実行することにより、受付部１１１と、グループ化部１１２と、表示制御部１１３と、記憶制御部１１４と、処理実行部１１５という機能を実現する。
【００２３】
受付部１１１は、操作部１３を介して、ユーザにより行われた操作を示す操作情報を受け付ける。グループ化部１１２は、複数のファイルを関連付けてグループを形成する。より具体的には、何らかの情報を介して直接的又は間接的に複数のファイルを関連付けてグループを形成する。表示制御部１１３は、表示部１４を制御してファイルのアイコンや各種の情報を表示させる。記憶制御部１１４は、記憶部１２を制御してフォルダ情報１２１やグループ情報１２２を記憶させる。処理実行部１１５は、受付部１１１により受け付けられた操作に従って、各種の処理を実行する。
各機能の詳細な説明については、後述するファイル管理アプリケーションの機能の説明に関連して行う。
【００２４】
次に、本実施形態の特徴であるファイル管理アプリケーションの各機能について説明する。具体的には、ファイル単位でのグループ設定機能と、ファイル同士の関連性表示機能と、グループ単位の整列機能と、バインダー等との連携機能と、グループ管理機能とについて説明する。
【００２５】
（１）ファイル単位でのグループ設定機能
ファイル管理アプリケーションによれば、ファイル単位でグループの設定を行う機能が実現される。
図６は、グループ設定処理の一例を示すフローチャートである。このグループ設定処理は、例えば制御部１１の受付部１１１が、グループ化すべきファイルのアイコンを選択する操作を受け付けることにより実行される。当該操作は例えば、図４により示される画面上において任意のアイコンを選択した上で、メニューにおいてグループ化の項目を選択することにより実施される。なお、ここで、アイコンを選択する操作とは、例えば、タッチセンサにおいてアイコンに対応する位置を指等の指示体でタップする操作や、カーソルをアイコンに合わせた状態でマウスをクリックする操作である。また、メニューとは、表示部１４に表示される操作項目の一覧のことであり、グループ化の項目とは、ファイルのグループ化を指示する操作を示す操作項目である。また、グループ化の項目を選択する操作とは、例えば、タッチセンサにおいて当該項目に対応する位置を指等の指示体でタップする操作や、カーソルを当該項目に合わせた状態でマウスをクリックする操作である。
【００２６】
ステップＳａ１において制御部１１のグループ化部１１２は、ファイルのグループ化を行う。具体的には、グループ化部１１２は、新たに形成されるグループについてグループ情報１２２を生成することにより、ファイルのグループ化を行う。より具体的にはグループ化部１１２は、新たに形成されるグループに対してグループＩＤを付与し、このグループＩＤに、グループ化されるファイルのＩＤを対応づけることによりグループ情報１２２を生成することにより、ファイルのグループ化を行う。この処理の前後において、制御部１１の表示制御部１１３は、グループ化すべきファイルの各アイコンを画面に表示させたままとする。
【００２７】
そして、制御部１１の記憶制御部１１４は、生成されたグループ情報１２２を、グループ化されたファイルが格納されるフォルダと対応づけて記憶する（ステップＳａ２）。具体的には、グループ情報１２２を隠しファイルとして当該フォルダ内に格納する。ここで、当該フォルダのフォルダ情報１２１にはグループ化されたファイルのアイコンの座標情報が格納されていることから、グループ情報１２２とアイコンの座標情報とは間接的に対応付けられて記憶されることになる。
【００２８】
このようにファイルがグループ化されると、表示制御部１１３は、当該グループ化されたファイルの各アイコンを囲む枠線を表示させる（ステップＳａ３）。図７は、この枠線が表示される画面の一例を示す図である。同図に示される画面において、アイコンＩ１〜Ｉ３を囲む枠線ＦＢ１は、アイコンＩ１〜Ｉ３により表されるファイル群が一のグループを形成していることを示している。アイコンＩ４〜Ｉ７を囲む枠線ＦＢ２は、アイコンＩ４〜Ｉ７により表されるファイル群が別のグループを形成していることを示している。アイコンＩ８〜Ｉ１０を囲む枠線ＦＢ３は、アイコンＩ８〜Ｉ１０により表されるファイル群がまた別のグループを形成していることを示している。
以上がグループ設定処理についての説明である。
【００２９】
なお、すでに形成されているグループに新たにファイルを追加する場合には、ユーザは、新たに追加するファイルのアイコンをドラッグして、追加先のグループの枠線内にそのファイルをドロップするという操作を行ってもよい。この操作を受付部１１１が受け付けた場合には、グループ化部１１２は、追加先のグループのグループ情報１２２において、グループＩＤに、新たに追加するファイルのＩＤを対応づけるようにしてもよい。
【００３０】
また、形成されたグループにはグループの名称が設定されて、画面上に表示されてもよい。図７に示されるテキストＴＸ１は、枠線ＦＢ１により識別されるグループの名称を示すテキストであり、同図に示されるテキストＴＸ２は、枠線ＦＢ２により識別されるグループの名称を示すテキストである。グループの名称は、ユーザにより手動で設定されても、グループ化されるファイルの内容に基づいて自動的に設定されてもよく、その情報はグループ情報１２２の一部として記憶される。
【００３１】
また、グループ化されたファイル群は、そのグループ単位で移動可能なようにしてもよい。例えば、グループの枠線が選択されドラッグされた場合に、当該グループに属するファイル群がそのグループを単位として移動させられてもよい。具体的には、当該操作が受付部１１１により受け付けられると、表示制御部１１３は、選択された枠線に対応するグループに属するファイル群の各アイコンが移動するように表示させる。その際、表示制御部１１３は、枠線及びアイコン群の相対的な位置関係を維持しつつ、枠線及びアイコン群を表示させた状態において、枠線及びアイコン群が移動するように表示させる。
【００３２】
以上説明したファイル単位でのグループ設定機能によれば、グループ化対象となるファイルの各アイコンが表示されたままの状態においてグループの設定が行われる。これに対して、フォルダを用いたグループ設定方法によれば、グループ化対象となるファイルをフォルダに格納する結果、グループ化対象となる各ファイルのアイコンに代えて、当該フォルダのアイコンが表示されることになる。また、フォルダに格納されたファイルのアイコンの一覧を表示させるためには、フォルダを開く手間が必要になる。よって、以上説明したファイル単位でのグループ設定機能によれば、フォルダを用いたグループ設定方法と比較して、グループ化された複数のファイルの一覧性の低下が抑制される。
【００３３】
（２）ファイル同士の関連性表示機能
ファイル管理アプリケーションによれば、ファイル同士の関連性を表示する機能が実現される。一例として、グループ化されたファイル同士において関連性を表示する機能が実現される。
【００３４】
図８は、グループ化されたファイル同士の関連性が表示される画面の一例を示す図である。同図に示される各アイコンＩ１１〜Ｉ１５に示される英字「Ａ」〜「Ｅ」は、当該グループ内において各ファイルに付与された順序を示している。この順序は、例えばユーザにより設定される。この順序を示す情報が制御部１１の受付部１１１により受け付けられると、制御部１１の記憶制御部１１４は、当該順序情報を当該グループのグループ情報１２２の一部として記憶させる。制御部１１の表示制御部１１３は、このグループ情報１２２として記憶される順序情報に基づいて、各々順番を示すアイコンを表示させる。
なお、各アイコンに示される順序は、英字に限られず、数字等の、順序を示す他の記号により示されてもよい。
【００３５】
図８に示されるリンク線Ｌ１〜Ｌ５は、ファイル同士が関連性を有することを示す関連性情報である。例えば、リンク線Ｌ１は、アイコンＩ１１、Ｉ１２により各々表されるファイル同士が関連性を有することを示している。また、同図に示されるテキストＴＸ３及びＴＸ４は、関連性の種類を示す関連性種類情報である。リンク線Ｌ１に沿って配置されているテキストＴＸ３は、アイコンＩ１１、Ｉ１２により各々表されるファイル同士が、改訂前と改訂後の関係にあることを示している。リンク線Ｌ２に沿って配置されているテキストＴＸ４は、アイコンＩ１２、Ｉ１３により各々表されるファイル同士が、複製元と複製先の関係にあることを示している。
【００３６】
リンク線Ｌ１〜Ｌ５、すなわち関連性情報は、グループ情報１２２として記憶される関連ファイル情報に基づいて表示される。例えば、図３に示すグループ情報１２２によれば、「file1」には関連ファイル情報として「file2」が対応づけられているため、「file1」のアイコンと「file2」のアイコンの間にはリンク線が表示されることになる。一方、テキストＴＸ３及びＴＸ４、すなわち関連性種類情報は、グループ情報１２２として記憶される関連性種類情報に基づいて表示される。例えば、図３に示すグループ情報１２２によれば、「file1」には関連性種類情報として「改訂」が対応づけられているため、「file1」のアイコンと「file2」のアイコンとを結ぶリンク線に沿って、テキスト「改訂」が表示されることになる。
【００３７】
関連ファイル情報及び関連性種類情報は、例えばユーザにより設定される。これらの情報が制御部１１の受付部１１１により受け付けられると、制御部１１の記憶制御部１１４は、これらの情報を当該グループのグループ情報１２２の一部として記憶させる。制御部１１の表示制御部１１３は、グループ情報１２２として記憶される関連ファイル情報及び関連性種類情報に基づいて、関連性情報と関連性種類情報とを表示させる。
【００３８】
または、関連ファイル情報及び関連性種類情報は、予め定められた処理に伴って、ユーザによる明示的な指示を待たずに設定されるようにしてもよい。例えば、図８に示されるアイコンＩ１２、Ｉ１３により各々表されるファイル同士の関連性を示す関連ファイル情報及びその関連性の種類を示す関連性種類情報は、アイコンＩ１２により表されるファイルから、アイコンＩ１３により表されるファイルが複製されたことを契機として、記憶制御部１１４により記憶され、表示制御部１１３により表示されるようにしてもよい。
【００３９】
図８に示される画面が表示されている状態において、任意のアイコンが選択されて、かつ任意の処理が選択された場合に、当該アイコンにより表されるファイルと関連性を有するファイルに対しても同様の処理を実行するようにしてもよい。また、同様の状態において、リンク線が選択されて、かつ任意の処理が選択された場合に、当該リンク線により連結されるアイコン群により各々表されるファイルに対して、当該処理を実行するようにしてもよい。
【００４０】
例えば、図８に示される画面においてアイコンＩ１１が選択され、かつメニューにおいて「開く」処理が選択された場合に、アイコンＩ１１、Ｉ１２により各々表されるファイル群を開くようにしてもよい。また、図８に示される画面においてリンク線Ｌ２が選択され、かつメニューにおいて「複製」処理が選択された場合に、アイコンＩ１２、Ｉ１３により各々表されるファイル群について、それぞれの複製ファイルを生成して表示するようにしてもよい。
【００４１】
アイコン又はリンク線の選択と任意の処理の選択が制御部１１の受付部１１１により受け付けられると、制御部１１の処理実行部１１５は、グループ情報１２２として記憶される関連ファイル情報を参照して、処理対象となるファイル群を特定し、その特定したファイル群に対して当該処理を実行する。
【００４２】
（３）グループ単位の整列機能
ファイル管理アプリケーションによれば、グループ単位でファイルの整列を行う機能が実現される。具体的には、任意のグループに属するファイルのアイコンを対象とした整列（以下、「グループ内整列」という。）機能と、複数のグループが表示される画面上において、一グループを一単位とした整列（以下、「グループ単位全体整列」という。）機能とが実現される。
【００４３】
図９は、グループ内整列とグループ単位全体整列とについて説明する図である。図９（ａ）は、両整列を行う前の画面を示し、図９（ｂ）は、両整列が行われた後の画面を示している。なお、同図の例においては、等間隔整列が採用されている。
【００４４】
図９（ａ）に示される画面が表示されている状態において、グループ（すなわち、枠線）の選択とグループ内整列の選択が制御部１１の受付部１１１により受け付けられると、制御部１１の表示制御部１１３は、選択されたグループ内において、当該グループに属するファイルのアイコン群を予め定められた基準に従って並べ替えて表示させる。
【００４５】
一方、図９（ａ）に示される画面が表示されている状態において、グループ単位全体整列の選択が受付部１１１により受け付けられると、表示制御部１１３は、各グループにおいて枠線及びアイコン同士の相対的な位置関係を維持しつつ、かつ各アイコンを表示させた状態において、予め定められた基準に従って各グループを並べ替えて表示させる。
【００４６】
なお、図９に示した例では、等間隔整列が採用されているが、整列の種類はこれに限られず、例えば、ファイルの名前、サイズ、種類、更新日時といった基準に基づいた整列であってもよい。
【００４７】
（４）バインダー等との連携機能
ファイル管理アプリケーションによれば、Docuworks（登録商標）のバインダー機能と連携する機能が実現される。具体的には、グループ化されたファイル群をバインダーにまとめたり、逆に、バインダーにまとめられているファイル群を、グループ化した状態でばらしたりする機能が実現される。
【００４８】
図１０は、グループ化されたファイル群をバインダーにまとめる例について説明する図である。図１０（ａ）は、バインダーにまとめる前の画面を示し、図１０（ｂ）は、バインダーにまとめた後の画面を示している。
【００４９】
図１０（ａ）に示される画面が表示されている状態において、グループ（すなわち、枠線ＦＢ８）の選択とバインダー機能の選択が制御部１１の受付部１１１により受け付けられると、制御部１１の表示制御部１１３は、当該グループに対応する枠線ＦＢ８とこれに囲まれるアイコンＩ２６〜Ｉ２８に代えて、図１０（ｂ）に示されるように、これらのアイコンＩ２６〜Ｉ２８により各々表される各ファイルを格納するバインダーを表すアイコンＩ２９を表示させる。この際、制御部１１の処理実行部１１５は、当該バインダーのＩＤを新たに付与して、このバインダーＩＤに、当該バインダーに格納される各ファイルのＩＤを対応づけることによりバインダー情報を生成する。制御部１１の記憶制御部１１４は、生成されたバインダー情報を、グループ情報１２２に代えて、それら各ファイルが格納されるフォルダと対応づけて記憶する。
【００５０】
逆に、図１０（ｂ）に示される画面が表示されている状態において、バインダーを表すアイコンＩ２９の選択と、グループ化への展開の指示とが受付部１１１により受け付けられると、表示制御部１１３は、当該アイコンＩ２９に代えて、図１０（ａ）に示されるように、当該バインダーに格納されているファイルを各々表すアイコンＩ２６〜Ｉ２８と、これらのアイコンＩ２６〜Ｉ２８を囲む枠線ＦＢ８とを表示させる。この際、処理実行部１１５は、グループＩＤを新たに付与して、このグループＩＤに、当該バインダーに格納されていた各ファイルのＩＤを対応づけることによりグループ情報１２２を生成する。記憶制御部１１４は、生成されたグループ情報１２２を、当該バインダーのバインダー情報に代えて、各ファイルが格納されるフォルダと対応づけて記憶する。
【００５１】
なお、図１０に示した例では、ファイルを束ねる機能としてバインダーが採用されているが、当該機能の他の例として、Docuworks（登録商標）の入れ物（具体的には、クリアフォルダーと封筒）が採用されてもよい。
【００５２】
（５）グループ管理機能
ファイル管理アプリケーションによれば、グループを管理するための種々の機能が実現される。
まず、グループを管理するにあたっては、グループ内においてさらにグループが形成されてもよい。
図１１は、グループ内においてさらにグループが形成された場合に表示される画面の一例を示す図である。同図に示される画面において、アイコンＩ３０〜Ｉ３６を囲む枠線ＦＢ９は、アイコンＩ３０〜Ｉ３６により表されるファイル群が一のグループを形成していることを示している。枠線ＦＢ９に囲まれ、アイコンＩ３０〜Ｉ３２を囲む枠線ＦＢ１０は、アイコンＩ３０〜Ｉ３２により表されるファイル群が、枠線ＦＢ９により識別されるグループ内において、下位グループを形成していることを示している。枠線ＦＢ９に囲まれ、アイコンＩ３４〜Ｉ３６を囲む枠線ＦＢ１１は、アイコンＩ３４〜Ｉ３６により表されるファイル群が、枠線ＦＢ９により識別されるグループ内において、別の下位グループを形成していることを示している。
【００５３】
同図に示される下位グループの設定方法については、上記の「（１）ファイル単位でのグループ設定機能」の欄で説明した設定方法と同様であるため、その説明を省略する。
【００５４】
次に、グループを管理するにあたり、一つのファイルが複数のグループに属した場合には、複数の枠線に囲まれるようにそのアイコンが表示されてもよい。
図１２は、２つのグループに属し、２つの枠線ＦＢにより囲まれるファイルのアイコンＩが表示される画面の一例を示す図である。同図に示される画面において、アイコンＩ３７〜Ｉ４０を囲む枠線ＦＢ１２は、アイコンＩ３７〜Ｉ４０により表されるファイル群が一のグループを形成していることを示している。一方、アイコンＩ４０〜Ｉ４３を囲む枠線ＦＢ１３は、アイコンＩ４０〜Ｉ４３により表されるファイル群が別のグループを形成していることを示している。同画面において、アイコンＩ４０は枠線ＦＢ１２と枠線ＦＢ１３の両方により囲まれており、これはアイコンＩ４０により表されるファイルが、枠線ＦＢ１２、ＦＢ１３により各々識別される２つのグループに属していることを示している。
【００５５】
なお、同図の例は、一つのファイルが２つのグループに属する場合のアイコンの表示例であるが、一つのファイルが３以上のグループに属する場合には、そのアイコンは３以上の枠線により囲まれて表示されてもよい。
しかし、画面上に複数のグループに属するファイルのアイコンが複数登場してしまうと、枠線ＦＢの表示が複雑になってしまい、ファイルの所属先のグループが判別し難くなってしまうため、グループ単位でその枠線ＦＢ及びアイコンＩの表示、非表示を切り替える機能が提供されてもよい。
【００５６】
図１３は、２つのグループに属し、２つの枠線に囲まれるファイルのアイコンが表示される画面の別の例を示す図である。同図に示される画面において、アイコンＩ４４〜Ｉ４７及びＩ５１を囲む枠線ＦＢ１４は、アイコンＩ４４〜Ｉ４７及びＩ５１により表されるファイル群が一のグループを形成していることを示している。一方、アイコンＩ４８〜Ｉ５１を囲む枠線ＦＢ１５は、アイコンＩ４８〜Ｉ５１により表されるファイル群が別のグループを形成していることを示している。同画面において、アイコンＩ４７とアイコンＩ５１とは、同一のファイルを表すアイコン同士であり、アイコンＩ４７が枠線ＦＢ１４により囲まれている一方、アイコンＩ５１が枠線ＦＢ１５により囲まれていることは、両アイコンにより表されるファイルが、枠線ＦＢ１４、ＦＢ１５により各々識別される２つのグループに属していることを示している。
【００５７】
同画面において、アイコンＩ４７及びＩ５１に重ねて表示されている記号Ｓは、アイコンＩ４７及びＩ５１により表されるファイルが複数のグループに属していることを示す記号である。制御部１１の表示制御部１１３は、アイコンにより表されるファイルが、予め定められた数以上のグループに属する場合には、当該アイコンに対応づけて、当該ファイルが複数のグループに属することを示す情報を表示させてもよい。
なお、記号Ｓの形状及び色は、図示の例に限られない。
【００５８】
次に、グループを管理するにあたり、画面上に複数のグループが登場し、グループの配置が複雑化する場合には、各グループの表示領域を小型化するようにしてもよい。
図１４は、表示領域の小型化を図るために、枠線の枠外の領域を使用する場合に表示される画面の一例を示す図である。同図に示される画面において、アイコンＩ５２〜Ｉ５６を囲む枠線ＦＢ１６は、アイコンＩ５２〜Ｉ５６により表されるファイル群が一のグループを形成していることを示している。
【００５９】
図１４（ａ）に示される画面では、枠線ＦＢ１６に囲まれる領域内にアイコンＩ５６が収まりきらず、その結果、その輪郭の一部が欠けた状態となっているが、同画面が表示されている状態において、枠線ＦＢ１６が選択されて右方向にドラッグされると、図１４（ｂ）に示されるように、非表示とされていた枠外の領域が枠線ＦＢ１６内に表示され、その結果、アイコンＩ５６の輪郭全体が表示されることになる。
【００６０】
なお、図１４に示される状況において、枠線内の領域を拡大、縮小させたり、枠線内の領域を上下左右に移動させたりする機能が提供されてもよい。具体的には、拡大縮小用のボタンを枠線内外の領域に設けたり、スクロールバーを枠線内外の領域に設けたりしてよい。
【００６１】
図１５は、表示領域の小型化を図るために、枠線の枠外の領域を使用する場合に表示される画面の他の例を示す図である。同図に示される画面において、アイコンＩ５６及びＩ５７を囲む枠線ＦＢ１７は、アイコンＩ５６及びＩ５７により表されるファイル群が一のグループを形成していることを示している。
【００６２】
図１５（ａ）に示される画面では、枠線ＦＢ１７に囲まれる領域内にアイコンＩ５７が収まりきらず、その結果、同アイコンは非表示となっているが、同画面が表示されている状態において、枠線ＦＢ１７が選択されるか又はアイコンＩ５６が選択されると、図１５（ｂ）に示されるように、非表示とされていた枠外の領域が枠線ＦＢ１７内に表示され、その結果、アイコンＩ５７が表示されることになる。
【００６３】
なお、図１４や図１５に示される例のように、枠線の枠外の領域にアイコンが隠れている場合には、枠線内外の領域に付箋を表示したり、又は、枠線の色や形状を、そうでない場合と比較して変えるようにしてもよい。
【００６４】
２．変形例
上記の実施形態は下記のように変形してもよい。また、下記の変形例は他の１以上の変形例と組み合わせてもよい。
【００６５】
２−１．変形例１
上記の実施形態において、アイコンに重ねて、当該ファイルが修正中であることを示す記号を表示するようにしてもよい。または、修正中のファイルが識別可能なように、当該ファイルのアイコンを、枠線内の予め定められた位置に配置するようにしてもよい。
【００６６】
２−２．変形例２
上記の実施形態において、枠線の形状及び色は図示の例に限られない。また、枠線の表示は省略されてもよい。
【００６７】
２−３．変形例３
上記の実施形態において情報処理装置１の制御部１１により実行されるプログラムは、磁気テープ、磁気ディスク、フレキシブルディスク、光ディスク、光磁気ディスク、メモリ等の記憶媒体に記憶された状態で提供されてもよい。また、当該プログラムは、インターネット等の通信回線を介してダウンロードされてもよい。
【符号の説明】
【００６８】
１…情報処理装置、１１…制御部、１２…記憶部、１３…操作部、１４…表示部、１５…通信部、１１１…受付部、１１２…グループ化部、１１３…表示制御部、１１４…記憶制御部、１１５…処理実行部、１２１…フォルダ情報、１２２…グループ情報
【図１】
2016042253.tif 000003
【図２】
2016042253.tif 000004
【図３】
2016042253.tif 000005
【図４】
2016042253.tif 000006
【図５】
2016042253.tif 000007
【図６】
2016042253.tif 000008
【図７】
2016042253.tif 000009
【図８】
2016042253.tif 000010
【図９】
2016042253.tif 000011
【図１０】
2016042253.tif 000012
【図１１】
2016042253.tif 000013
【図１２】
2016042253.tif 000014
【図１３】
2016042253.tif 000015
【図１４】
2016042253.tif 000016
【図１５】
2016042253.tif 000017